【手続補正書】
【提出日】平成16年5月21日(2004.5.21)
【手続補正１】
【補正対象書類名】明細書
【補正対象項目名】特許請求の範囲
【補正方法】変更
【補正の内容】
【特許請求の範囲】
【請求項１】
真空中で機能する情報記憶ユニットであって、
情報を格納し、読み出すための情報記憶エリアを有するデータ記憶媒体と、
前記データ記憶媒体に向けて、複数の電子ビームを選択的に送るために、前記データ記憶媒体に近接して隔置された電子ビームエミッタのアレイと、
前記複数の電子ビームの各々を、前記データ記憶媒体の前記情報記憶エリアの一部分に集束させるために、前記電子ビームエミッタのアレイと前記データ記憶媒体との間にある集束用の光学装置と、
前記電子ビームエミッタのアレイに対して前記データ記憶媒体を移動させるために、前記データ記憶媒体に関連付けられた超小型電気機械モータであって、前記エミッタはそれぞれ、情報の読出しまたは書込みを行うために、前記情報記憶エリアの一部分に選択的に電子ビームを送ることからなる、超小型電気機械モータと、
前記電子ビームエミッタのアレイの動作を制御するために、前記電子ビームエミッタのアレイから隔置され、それと電気的に通信する電子回路と、
前記データ記憶媒体と前記電子ビームエミッタのアレイとの間の真空状態を保持するために、前記情報記憶ユニット内に設けられた真空装置
を備える、情報記憶ユニット。
【請求項２】
前記超小型電気機械モータは、前記データ記憶媒体が付加される回転子装置と、前記データ記憶媒体に近接して配置される固定子装置と、前記回転子装置を駆動するために前記固定子装置上に取り付けられる１組の駆動電極と、前記１組の駆動電極に近接して、前記回転子装置上に取り付けられる１組の被駆動電極を備える、請求項１の情報記憶ユニット。
【請求項３】
前記電子制御回路は前記固定子装置上に配置される、請求項２の情報記憶ユニット。
【請求項４】
前記固定子装置上の前記電子制御回路は、前記回転子装置を介して、前記電子ビームエミッタのアレイと通信する、請求項３の情報記憶ユニット。
【請求項５】
前記電子制御回路は、前記電子ビームエミッタのアレイに対する前記データ記憶媒体の動きを制御するために、前記超小型電気機械モータと電気的に通信する、請求項１の情報記憶ユニット。
【請求項６】
前記データ記憶媒体は、前記電子ビームエミッタのアレイに対して移動可能である、請求項１の情報記憶ユニット。
【請求項７】
一体型の情報記憶パッケージを形成するために、電子ビームエミッタのアレイと、回転子装置と、固定子装置とを接続し、かつ、それらを隔置するための結合機構をさらに備える、請求項２の情報記憶ユニット。
【請求項８】
真空を保持するために、前記情報記憶パッケージの周囲に封止機構をさらに備える、請求項７の情報記憶ユニット。
【請求項９】
前記結合機構は、前記封止機構と一体化される、請求項８の情報記憶ユニット。
【請求項１０】
前記情報記憶パッケージから該パッケージの外部にある回路まで情報を伝達するために、前記情報記憶パッケージから前記封止機構を通って延在する電気リード線をさらに備える、請求項８の情報記憶ユニット。
【請求項１１】
前記固定子装置に取り付けられた前記駆動電極の下において前記固定子装置上に配置された、前記超小型電気機械モータ用の制御電子機器回路をさらに備える、請求項２の情報記憶ユニット。
【請求項１２】
原子分解能情報記憶ユニットであって、
情報を格納するための情報記憶エリアを有する平坦な回転子装置と、
前記回転子装置上の前記情報記憶エリアに向けて電子ビームを選択的に送るために、前記回転子装置に近接した位置にある電子ビームエミッタの平坦なアレイと、
前記電子ビームエミッタのアレイと前記平坦な回転子装置の間にあって、前記複数の電子ビームの各々を、前記平坦な回転子装置の前記情報記憶エリアの一部分に集束させるための集束用の光学装置と、
前記電子ビームエミッタのアレイの面に平行な面において、前記回転子装置を前記電子ビームエミッタのアレイに対して移動させるための、前記回転子装置上にある被駆動機構と、
前記回転子装置に近接した位置にある固定子装置であって、前記可動式の回転子装置に対して静止している、固定子装置と、
前記固定子装置上の駆動機構であって、前記被駆動機構と静電的に係合して、前記電子ビームエミッタのアレイに対して前記回転子装置を移動させ、それにより、前記電子ビームエミッタのアレイが、前記回転子装置上の情報記憶エリアの種々の部分に対して、読出しあるいは書込みを行えるようにすることからなる、駆動機構と、
前記電子ビームエミッタのアレイの動作を制御するために、前記電子ビームエミッタのアレイと電気的に通信する、前記固定子装置上の電子制御回路と、
前記情報記憶エリアと前記電子ビームエミッタのアレイとの間の真空状態を保持するために、前記原子分解能情報記憶ユニット内に設けられた真空装置
を備える、原子分解能情報記憶ユニット。
【請求項１３】
前記情報記憶エリアが、複数の個別の記憶媒体エリアから構成され、その個別のエリアの各々が、前記電子ビームエミッタの１つに対応する、請求項１２の原子分解能情報記憶ユニット。
【請求項１４】
前記固定子装置上の前記電子制御回路を前記電子ビームエミッタのアレイに接続するために、前記回転子装置を通って延びる導電性デバイスをさらに備える、請求項１２の原子分解能情報記憶ユニット。
【請求項１５】
前記固定子装置上の前記電子制御回路が、前記平坦な回転子装置の動作を制御するために、前記平坦な回転子装置と電気的に通信することからなる、請求項１２の原子分解能情報記憶ユニット。
【請求項１６】
前記固定子装置上の前記電子制御回路が、前記平坦な回転子装置上の情報記憶エリアからデータを受け取るために、前記平坦な回転子装置と電気的に通信する、請求項１２の原子分解能情報記憶ユニット。
【請求項１７】
前記導電性デバイスが、前記固定子装置上の第１の組をなすパッドと、前記電子ビームエミッタのアレイ上の第２の組をなすパッドに接続する、前記回転子装置上の導電性プラグからなる、請求項１２の原子分解能情報記憶ユニット。
【請求項１８】
前記回転子装置と前記電子ビームエミッタのアレイとの間に適切な間隔を維持するために、それらの間に設けられる第１のスペーサと、前記回転子装置と前記固定子装置の間に適切な間隔を維持するために、それらの間に設けられる第２のスペーサをさらに備える、請求項１２の原子分解能情報記憶ユニット。
【請求項１９】
前記第１のスペーサと第２のスペーサは、前記回転子装置が、前記電子ビームエミッタのアレイ及び前記固定子装置に対して移動できるようにするために、前記回転子装置の周辺部に配置される、請求項１８の原子分解能情報記憶ユニット。
【請求項２０】
前記回転子装置と、前記電子ビームエミッタのアレイと、前記固定子装置とを接続して情報記憶パッケージを形成するための結合機構さらに備える請求項１２の原子分解能情報記憶ユニット。
【請求項２１】
前記情報記憶パッケージ内に十分な真空状態を維持するために、前記電子ビームエミッタのアレイ、前記回転子装置、及び前記固定子装置に関連する封止機構をさらに備える、請求項１２の原子分解能情報記憶ユニット。
【請求項２２】
前記原子分解能情報記憶ユニット内における前記真空状態を実質的に維持するために、前記原子分解能情報記憶ユニット内にゲッターをさらに備える、請求項２１の原子分解能情報記憶ユニット。
【請求項２３】
原子分解能情報記憶ユニットであって、
情報を格納するための情報記憶エリアを有する平坦な回転子装置と、
前記回転子装置上の前記情報記憶エリアに向けて電子ビームを選択的に送るために、前記回転子装置に近接した位置にあるエミッタ装置上の電子ビームエミッタの平坦なアレイと、
前記エミッタ装置と前記平坦な回転子装置の間にあって、前記複数の電子ビームの各々を、前記平坦な回転子装置の前記情報記憶エリアの一部分に集束させるための集束用の光学装置と、
前記電子ビームエミッタのアレイの面に平行な面において、前記回転子装置を前記エミッタ装置に対して移動させるための、前記回転子装置上にある被駆動機構と、
前記回転子装置に近接した位置にある固定子装置であって、前記可動式の回転子装置に対して静止していることからなる、固定子装置と、
前記固定子装置上の駆動機構であって、前記被駆動機構と静電的に係合して、前記エミッタ装置に対して前記回転子装置を移動させ、それにより、前記電子ビームエミッタのアレイが、前記回転子装置上の情報記憶エリアの種々の部分に対して、読出しあるいは書込みを行えるようにすることからなる、駆動機構と、
前記電子ビームエミッタのアレイの動作を制御するために、前記電子ビームエミッタのアレイと電気的に通信する、前記エミッタ装置上のエミッタ駆動回路と、
前記固定子装置上の前記駆動機構を駆動するための、前記固定子装置上にある駆動機構制御回路と、
前記情報記憶エリアと前記電子ビームエミッタのアレイとの間の真空状態を保持するために、前記原子分解能情報記憶ユニット内に設けられる真空装置
を備える、原子分解能情報記憶ユニット。
【請求項２４】
前記平坦な回転子装置の動作を制御するために、及び、前記平坦な回転子装置上の情報記憶エリアからデータを受け取るために、前記平坦な回転子装置と電気的に通信する、前記固定子装置上の回転子制御回路をさらに備える、原子分解能情報記憶ユニット。
【請求項２５】
前記駆動機構制御回路と前記回転子制御回路が、前記固定子装置上の電極の下に配置される、請求項２３の原子分解能情報記憶ユニット。
【請求項２６】
前記エミッタ駆動電子機器回路が、前記電子ビームエミッタの下に配置される、請求項２３の原子分解能情報記憶ユニット。